(57)【要約】【課題】取得された情報を用いて利便性や安全性などを向上させること。【解決手段】住宅に設置される設備に対する制御を行う制御システムであって、制御に用いられる情報を取得する情報取得部と、情報に関する条件と、条件が満たされた場合に実行される制御内容とを対応付けて記憶する制御情報記憶部と、情報取得部によって取得された情報に基づき、条件のうちいずれかが満たされたか否か判定し、満たされた条件に対応付けて記憶されている制御内容を、制御対象となる設備に対して実行する制御部と、を備える。【選択図】図１
2014174762.tif 000002
【特許請求の範囲】
【請求項１】
住宅に設置される設備に対する制御を行う制御装置であって、
制御に用いられる情報を取得する情報取得部と、
前記情報取得部によって取得された前記情報が所定の条件を満たした場合に、満たされた前記条件に対応する制御内容を、制御対象となる前記設備に対して実行する制御部と、
を備える制御装置。
【請求項２】
住宅に設置される設備に対する制御を行う制御システムであって、
制御に用いられる情報を取得する情報取得部と、
前記情報取得部によって取得された前記情報が所定の条件を満たした場合に、満たされた前記条件に対応する制御内容を、制御対象となる前記設備に対して実行する制御部と、
を備える制御システム。
【請求項３】
前記情報は、前記住宅の室外の気温及び室内の気温であり、
前記制御部は、室内気温に基づいて表される条件が満たされた場合に、前記住宅における室外の空気の一部と室内の空気の一部とを入れ替える、請求項２に記載の制御システム。
【請求項４】
前記情報は、前記住宅周辺の日射量であり、
前記制御部は、前記住宅周辺の日射量が条件を満たした場合に、前記住宅において室外から侵入する日射量を調整する、請求項２に記載の制御システム。
【請求項５】
前記情報は、天候に関する情報であり、
前記制御部は、前記住宅周辺の天候が雨である場合に、前記住宅において外気に接する窓を閉める請求項２に記載の制御システム。
【請求項６】
前記情報は、地震の揺れに関する情報であり、
前記制御部は、前記住宅周辺において発生した地震の揺れが条件を満たした場合に、前記住宅においてテレビ受像機の電源を入れる請求項２に記載の制御システム。
【請求項７】
前記情報は、地震の揺れに関する情報と、前記テレビ受像機が設置された場所に人が検知されたか否かを示す情報と、であり、
前記制御部は、前記住宅周辺において発生した地震の揺れが条件を満たした場合であって、前記テレビ受像機が設置された場所に人が検知されている場合に、前記テレビ受像機の電源を入れる請求項６に記載の制御システム。
【請求項８】
前記情報は、前記住宅に設置された自然エネルギー発電機の発電量であり、
前記制御部は、前記発電量に応じて、燃料を用いて発電する燃料発電機による発電を制御する、請求項２に記載の制御システム。
【請求項９】
前記情報は、前記住宅に設置された電気機器による電力需要に関する情報であり、
前記制御部は、前記電力需要に関する情報に応じて、前記電気機器による消費電力を制御する、請求項２に記載の制御システム。
【請求項１０】
住宅に設置される設備に対する制御を行う制御方法であって、
制御システムが、制御に用いられる情報を取得する情報取得ステップと、
前記制御システムが、前記情報取得ステップにおいて取得された前記情報が所定の条件を満たした場合に、満たされた前記条件に対応する制御内容を、制御対象となる前記設備に対して実行する制御ステップと、
を有する制御方法。
【請求項１１】
住宅に設置される設備に対する制御をコンピュータに実行させるためのコンピュータプログラムであって、
制御に用いられる情報を取得する情報取得ステップと、
前記情報取得ステップにおいて取得された前記情報が所定の条件を満たした場合に、満たされた前記条件に対応する制御内容を、制御対象となる前記設備に対して実行する制御ステップと、
をコンピュータに実行させるためのコンピュータプログラム。
【発明の詳細な説明】
【技術分野】
【０００１】
本発明は、取得された情報に応じて制御を行う技術に関する。
【背景技術】
【０００２】
従来、技術の発展に伴い種々の情報を取得する技術が提供されている。例えば、傾きを検出するセンサー、温度を検出するセンサー、湿度を検出するセンサー等のセンサーがある。他の例として、地域や宅内の電力需要に関する情報を取得するシステムや、天候に関する情報を取得するシステムなどがある。
これらの技術を用いることによって取得された情報は、様々な場面で活用されている。例えば、周囲温度、光、音および地理的位置を知覚できるセンサーによって収集したデータを使用して、知覚された状態に相関性があるテーマを選択する技術が提案されている（特許文献１参照）。
【先行技術文献】
【特許文献】
【０００３】
【特許文献１】特開２０１３−０３７６９９号公報
【発明の概要】
【発明が解決しようとする課題】
【０００４】
しかしながら、取得された情報が活用される場面は未だに十分とは言えない。例えば、住宅に設置されるシステムにおいては、十分に情報が活用されてはいないという問題があった。
上記事情に鑑み、本発明は、取得された情報を用いて利便性や安全性などを向上させる技術の提供を目的としている。
【課題を解決するための手段】
【０００５】
本発明の一態様は、住宅に設置される設備に対する制御を行う制御装置であって、制御に用いられる情報を取得する情報取得部と、前記情報取得部によって取得された前記情報が所定の条件を満たした場合に、満たされた前記条件に対応する制御内容を、制御対象となる前記設備に対して実行する制御部と、備える制御装置である。
【０００６】
本発明の一態様は、住宅に設置される設備に対する制御を行う制御システムであって、制御に用いられる情報を取得する情報取得部と、前記情報取得部によって取得された前記情報が所定の条件を満たした場合に、満たされた前記条件に対応する制御内容を、制御対象となる前記設備に対して実行する制御部と、を備える制御システムである。
【０００７】
本発明の一態様は、上記の制御システムであって、前記情報は、前記住宅の室外の気温及び室内の気温であり、前記制御部は、室内気温に基づいて表される条件が満たされた場合に、前記住宅における室外の空気の一部と室内の空気の一部とを入れ替える。
【０００８】
本発明の一態様は、上記の制御システムであって、前記情報は、前記住宅周辺の日射量であり、前記制御部は、前記住宅周辺の日射量が条件を満たした場合に、前記住宅において室外から侵入する日射量を調整する。
【０００９】
本発明の一態様は、上記の制御システムであって、前記情報は、天候に関する情報であり、前記制御部は、前記住宅周辺の天候が雨である場合に、前記住宅において外気に接する窓を閉める。
【００１０】
本発明の一態様は、上記の制御システムであって、前記情報は、地震の揺れに関する情報であり、前記制御部は、前記住宅周辺において発生した地震の揺れが条件を満たした場合に、前記住宅においてテレビ受像機の電源を入れる。
【００１１】
本発明の一態様は、上記の制御システムであって、前記情報は、地震の揺れに関する情報と、前記テレビ受像機が設置された場所に人が検知されたか否かを示す情報と、であり、前記制御部は、前記住宅周辺において発生した地震の揺れが条件を満たした場合であって、前記テレビ受像機が設置された場所に人が検知されている場合に、前記テレビ受像機の電源を入れる。
【００１２】
本発明の一態様は、上記の制御システムであって、前記情報は、前記住宅に設置された自然エネルギー発電機の発電量であり、前記制御部は、前記発電量に応じて、燃料を用いて発電する燃料発電機による発電を制御する。
【００１３】
本発明の一態様は、上記の制御システムであって、前記情報は、前記住宅に設置された電気機器による電力需要に関する情報であり、前記制御部は、前記電力需要に関する情報に応じて、前記電気機器による消費電力を制御する。
【００１４】
本発明の一態様は、住宅に設置される設備に対する制御を行う制御方法であって、制御システムが、制御に用いられる情報を取得する情報取得ステップと、前記制御システムが、前記情報取得ステップにおいて取得された前記情報が所定の条件を満たした場合に、満たされた前記条件に対応する制御内容を、制御対象となる前記設備に対して実行する制御ステップと、を有する制御方法である。
【００１５】
本発明の一態様は、住宅に設置される設備に対する制御をコンピュータに実行させるためのコンピュータプログラムであって、制御に用いられる情報を取得する情報取得ステップと、前記情報取得ステップにおいて取得された前記情報が所定の条件を満たした場合に、満たされた前記条件に対応する制御内容を、制御対象となる前記設備に対して実行する制御ステップと、をコンピュータに実行させるためのコンピュータプログラムである。
【発明の効果】
【００１６】
本発明により、取得された情報を用いて利便性や安全性などを向上させることが可能となる。
【図面の簡単な説明】
【００１７】
【図１】制御システム１００のシステム構成を表すシステム構成図である。
【図２】制御システム１００の動作の流れを示すフローチャートの具体例である。
【図３】制御システム１００の第一実施形態（制御システム１００ａ）の機能構成を表す概略ブロック図である。
【図４】第一実施形態における制御情報テーブルの具体例を示す図である。
【図５】制御システム１００の第二実施形態（制御システム１００ｂ）の機能構成を表す概略ブロック図である。
【図６】第二実施形態における制御情報テーブルの具体例を示す図である。
【図７】制御システム１００の第三実施形態（制御システム１００ｃ）の機能構成を表す概略ブロック図である。
【図８】第三実施形態における制御情報テーブルの具体例を示す図である。
【図９】制御システム１００の第四実施形態（制御システム１００ｄ）の機能構成を表す概略ブロック図である。
【図１０】第四実施形態における制御情報テーブルの具体例を示す図である。
【図１１】第四実施形態における制御情報テーブルの具体例を示す図である。
【図１２】第四実施形態における制御情報テーブルの具体例を示す図である。
【図１３】第四実施形態における制御情報テーブルの具体例を示す図である。
【図１４】制御システム１００の第五実施形態（制御システム１００ｅ）の機能構成を表す概略ブロック図である。
【図１５】第五実施形態における制御情報テーブルの具体例を示す図である。
【図１６】制御システム１００の第六実施形態（制御システム１００ｆ）の機能構成を表す概略ブロック図である。
【図１７】第六実施形態における制御情報テーブルの具体例を示す図である。
【図１８】制御システム１００の第七実施形態（制御システム１００ｇ）の機能構成を表す概略ブロック図である。
【図１９】第七実施形態における制御情報テーブルの具体例を示す図である。
【図２０】制御システム１００の第八実施形態（制御システム１００ｈ）の機能構成を表す概略ブロック図である。
【図２１】第八実施形態における制御情報テーブルの具体例を示す図である。
【発明を実施するための形態】
【００１８】
［概略］
図１は、制御システム１００のシステム構成を表すシステム構成図である。制御システム１００は、情報取得部１１、制御情報記憶部１２、制御部１３及び制御対象２０を備える。
情報取得部１１は、所定の情報を取得する。情報取得部１１は、例えばセンサーを備えることによって、センサーによって検出された情報を取得しても良い。情報取得部１１は、他の装置によって取得された情報を、ネットワークを介して取得しても良い。情報取得部１１は、他の装置と通信を行う事によって情報を取得しても良い。
【００１９】
情報取得部１１は、例えばセンサーそのものであっても良いし、センサーや通信機能を備えた端末装置であっても良い。端末装置の具体例として、携帯電話機、スマートフォン、タブレット、ノート型パソコン、腕時計等の装着型端末、ゲーム機器、家電機器などがある。
【００２０】
情報取得部１１のより具体的な例を以下に列挙する。情報取得部１１は、温度センサーを備え、周囲又は対象物体の温度を取得する。情報取得部１１は、照度センサーを備え、周囲の照度を取得する。情報取得部１１は、マイクを備え、所定の空間の音量に関する情報を取得する。情報取得部１１は、人感センサーを備え、所定の空間に人物が存在するか否かを表す情報を取得する。情報取得部１１は、カメラを備え、カメラによって撮像された人物の顔画像に基づいて認証処理を行い、人物に関する情報を取得する。情報取得部１１は、バーコードスキャナーを備え、近接したバーコードに基づいてバーコードが付与された物体に関する情報を取得する。情報取得部１１は、クロックを備え、日時や現在時刻を取得する。情報取得部１１は、ネットワークを介して天候情報提供サーバーと通信することによって、現在の天候に関する情報や天候の予報に関する情報を取得する。情報取得部１１は、地震情報提供サーバーと通信することによって、地震に関する情報を取得する。情報取得部１１は、所定の地域における電力需要量に関する情報を提供するサーバーと通信することによって、電力需要量情報を取得する。情報取得部１１は、ＧＰＳ（グローバル・ポジショニング・システム：Global Positioning System）衛星と通信することによって、現在位置情報を取得する。
なお、情報取得部１１の構成は、上述した具体例に限定されない。
【００２１】
制御情報記憶部１２は、磁気ハードディスク装置や半導体記憶装置などの記憶装置を用いて構成される。制御情報記憶部１２は、制御情報テーブルを記憶する。制御情報テーブルは、情報取得部１１によって取得される情報に関する条件と、その条件が満たされた場合に実行される制御の内容とが対応付けられたテーブルである。
【００２２】
制御部１３は、制御情報記憶部１２に記憶される制御情報テーブルを参照し、情報取得部１１によって取得された情報に基づいて、満たされた条件が存在するか否か判定する。制御部１３は、満たされた条件が存在しない場合制御を実行しない。一方、満たされた条件が存在する場合、制御部１３は、満たされた条件に対応付けられた制御の内容を実行する。なお、制御対象２０のユーザによって制御対象２０の設定や動作内容が変更されたりオン・オフが変更された場合は、ユーザによる設定が優先される。
【００２３】
制御部１３は、例えばバスで接続されたＣＰＵ（Central Processing Unit）やメモリや補助記憶装置などを備え、制御プログラムを実行することによって機能する。なお、制御部１３は、ＡＳＩＣ（Application Specific Integrated Circuit）やＰＬＤ（Programmable Logic Device）やＦＰＧＡ（Field Programmable Gate Array）等のハードウェアを用いて実現されても良い。制御プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。制御プログラムは、電気通信回線を介して提供されても良い。
制御対象２０は、制御部１３によって制御される対象の装置やシステムである。
【００２４】
制御システム１００の具体的な構成は、どのような態様で実現されても良い。例えば、情報取得部１１と制御情報記憶部１２と制御部１３とが一体の装置として構成されても良い。また、制御情報記憶部１２と制御部１３とがそれぞれ異なる装置として構成されても良い。また、制御情報記憶部１２と制御部１３とは、ネットワーク上のサーバによってクラウドとして実装されても良い。また、制御対象２０と制御部１３とが一体の装置として構成されても良い。また、制御対象２０と制御情報記憶部１２と制御部１３とが一体の装置として構成されても良い。また、制御部１３が、その機能に応じて複数の装置として構成されても良い。また、制御情報記憶部１２が、記憶するテーブル毎に異なる装置として構成されても良い。また、情報取得部１１は複数備えられても良い。また、制御部１３には複数の制御対象２０が接続されても良い。制御システム１００は、制御対象２０を制御可能であれば、他のどのような構成によって実現されても良い。
【００２５】
図２は、制御システム１００の動作の流れを示すフローチャートの具体例である。まず、情報取得部１１が所定の情報を取得する（ステップＳ１０１）。次に、制御部１３が、制御情報記憶部１２に記憶される制御情報テーブルを参照し、情報取得部１１によって取得された情報に基づいて、満たされた条件が存在するか否か判定する（ステップＳ１０２）。満たされた条件が存在しない場合（ステップＳ１０２−ＮＯ）、制御部１３は特に処理を行わず、ステップＳ１０１の処理に戻る。
【００２６】
一方、満たされた条件が存在する場合（ステップＳ１０２−ＹＥＳ）、制御部１３は、満たされた条件に対応付けられた制御の内容を取得する。制御部１３は、取得された制御の内容を実行するか否か判定する（ステップＳ１０３）。この判定は種々の観点から行われる。例えば、制御部１３は、取得された制御の内容が実行中である場合又は既に制御後の状態となっている場合には、実行しないと判定する。具体例を挙げて制御部１３のステップＳ１０３の処理について説明する。例えば、制御の内容が“窓を１０ｃｍ開ける”であり、窓を１０ｃｍ開けための動作が行われている最中である場合には、制御部１３は制御を実行しないと判定する。また、制御の内容が“窓を１０ｃｍ開ける”であり、既に窓が２０ｃｍ開いている場合には、制御部１３は制御を実行しないと判定する。
【００２７】
制御部１３は、取得された制御の内容を実行しないと判定した場合（ステップＳ１０３−ＮＯ）、制御部１３は特に処理を行わず、ステップＳ１０１の処理に戻る。一方、取得された制御の内容を実行すると判定した場合（ステップＳ１０３−ＹＥＳ）、制御部１３は、取得された制御の内容を実行する（ステップＳ１０４）。そして、ステップＳ１０１の処理に戻る。
以下、本発明の一実施形態である制御システム１００の複数の具体例について詳細に説明する。
【００２８】
［第一実施形態］
図３は、制御システム１００の第一実施形態（制御システム１００ａ）の機能構成を表す概略ブロック図である。
制御システム１００ａは、情報取得部１１の具体例として外気温取得部１１ａ−１及び内気温取得部１１ａ−２を備え、制御対象２０の具体例として換気システム２０ａ−１、窓開閉装置２０ａ−２、室内照明制御システム２０ａ−３を備える。
【００２９】
外気温取得部１１ａ−１は、室外の気温（以下、「室外気温」という。）を取得する。外気温取得部１１ａ−１は、室外に設置された温度センサーであっても良い。外気温取得部１１ａ−１は、室外に設置された温度センサーから通信によって室外気温を取得する装置であっても良い。外気温取得部１１ａ−１は、ネットワークを介して天候情報提供サーバーと通信することによって、周辺地域の気温として提供された情報に基づいて室外気温を取得しても良い。
【００３０】
内気温取得部１１ａ−２は、室内の気温（以下、「室内気温」という。）を取得する。室内とは、換気システム２０ａ−１、窓開閉装置２０ａ−２及び室内照明制御システム２０ａ−３が設置された建物（以下、「制御対象建物」という。）の室内を表す。内気温取得部１１ａ−２は、室内に設置された温度センサーであっても良い。内気温取得部１１ａ−２は、室内に設置された温度センサーから通信によって室内気温を取得する装置であっても良い。
【００３１】
換気システム２０ａ−１は、室内の換気を行う。換気扇や個別換気システムやセントラル換気システムなど、制御対象建物の換気を行う事が可能なシステムであればどのようなシステムであっても良い。換気システム２０ａ−１は、制御部１３ａによる制御にしたがって制御対象建物の換気を行う。
【００３２】
窓開閉装置２０ａ−２は、制御対象建物に設けられた窓の開閉動作を制御する装置である。窓開閉装置２０ａ−２は、例えばアクチュエーターと、各窓に設けられた動力伝達部材と、を備える。窓開閉装置２０ａ−２は、制御部１３ａによる制御にしたがってアクチュエーターを動作させ、制御対象建物に設けられた窓の開閉動作を制御する。
【００３３】
室内照明制御システム２０ａ−３は、制御対象建物に設けられた照明を制御するシステムである。室内照明制御システム２０ａ−３は、制御部１３ａによる制御にしたがって、制御対象建物に設けられた一つ一つの照明の照度を複数の段階で調整する。
【００３４】
制御部１３ａは、外気温取得部１１ａ−１によって取得された室外気温と、内気温取得部１１ａ−２によって取得された室内気温と、に応じた制御情報を制御情報テーブルから取得する。制御部１３ａは、取得された制御情報に応じた制御を、換気システム２０ａ−１、窓開閉装置２０ａ−２及び室内照明制御システム２０ａ−３に対して実行する。
【００３５】
図４は、第一実施形態における制御情報テーブルの具体例を示す図である。制御情報記憶部１２ａによって記憶される制御情報テーブルには、複数のレコード９０ａが登録されている。レコード９０ａは、温度条件及び制御情報の値を有する。温度条件は、室外気温及び室内気温に基づいて表される条件である。温度条件の具体例として、室外気温及び室内気温の組み合わせ、室外気温と室内気温との差分値がある。制御情報は、換気システム２０ａ−１、窓開閉装置２０ａ−２及び室内照明制御システム２０ａ−３それぞれに対する制御内容を表す。図４に表される具体例では、制御情報の値として３つの値が示されている。これら３つの値は、左から順に換気システム２０ａ−１、窓開閉装置２０ａ−２、室内照明制御システム２０ａ−３に対する制御内容を表している。
【００３６】
換気システム２０ａ−１に対する制御の内容は、換気の程度を示す。例えば、室内気温が適温であれば、換気が行われないように制御されても良い。室内気温が低く室外気温が高い場合、又は、室内気温が高く室外気温が低い場合、換気が行われるように制御されても良い。換気の量は段階的に制御されても良い。
【００３７】
窓開閉装置２０ａ−２に対する制御の内容は、窓の開いた部分の幅を示す。例えば、室内気温が適温であれば、窓が開かないように制御されても良い。室内気温が低く室外気温が高い場合、又は、室内気温が高く室外気温が低い場合、窓が大きく開くように制御されても良い。窓の開いた部分の幅は段階的に制御されても良い。
【００３８】
室内照明制御システム２０ａ−３に対する制御の内容は、照明の色や照明の照度に関する状態を示す。例えば、温度条件によって表される室内気温が低いほど、人間に対して暖かみを印象づける色となるように制御がなされても良い。例えば、温度条件によって表される室内気温が高いほど、人間に対して涼しさを印象づける色となるように制御がなされても良い。例えば、温度条件によって表される室内気温が低いほど照度が高く制御され、室内気温が高いほど照度が低く制御されても良い。
【００３９】
例えば、温度条件“Ｔ１”が満たされた場合、制御部１３ａは、換気システム２０ａ−１及び窓開閉装置２０ａ−２に対しては特に制御を行わず、室内照明制御システム２０ａ−３に対して照明が第１状態となるように制御する。
【００４０】
このように構成された制御システム１００ａでは、室外気温及び室内気温に応じて、制御対象建物に対する換気が制御される。そのため、換気によって、制御対象建物内の気温を適切な温度（人にとって過ごしやすい温度、飼育されている動植物にとって適した温度、稼働している装置にとって適した温度など）に近づけることが可能となる。
【００４１】
また、このように構成された制御システム１００ａでは、室外気温及び室内気温に応じて、制御対象建物に設置された窓の開閉が制御される。そのため、窓を通じた換気によって、制御対象建物内の気温を適切な温度に近づけることが可能となる。
【００４２】
また、このように構成された制御システム１００ａでは、室外気温及び室内気温に応じて、制御対象建物に設置された照明が制御される。そのため、照明の色や照度によって、制御対象建物内にいる人や動植物にとって適切な環境（人が過ごしやすい環境、動植物が育ちやすい環境）を与えることが可能となる。また、換気によって室内気温の調整が図られるため、消費するエネルギーを低く抑えることが可能となる。
【００４３】
＜変形例＞
室外気温及び室内気温に加えてさらに他の条件にも基づいて制御内容が決定されても良い。例えば、湿度や天候という条件がさらに与えられても良い。
制御対象２０は、換気システム２０ａ−１、窓開閉装置２０ａ−２及び室内照明制御システム２０ａ−３の全てである必要は無く、これらの一部のみが制御対象２０であっても良い。
【００４４】
［第二実施形態］
図５は、制御システム１００の第二実施形態（制御システム１００ｂ）の機能構成を表す概略ブロック図である。
制御システム１００ｂは、情報取得部１１の具体例として時刻取得部１１ｂ−１及び内気温取得部１１ｂ−２を備え、制御対象２０の具体例として室温調整システム２０ｂ−１を備える。
【００４５】
時刻取得部１１ｂ−１は、現在時刻を取得する。時刻取得部１１ｂ−１は、クロックを備え、クロックから出力される信号に基づいて現在時刻を取得しても良い。時刻取得部１１ｂ−１は、外部装置から時刻を表す信号を受信することによって現在時刻を取得しても良い。
【００４６】
内気温取得部１１ｂ−２は、室内気温を取得する。室内とは、室温調整システム２０ｂ−１が設置された建物（以下、「制御対象建物」という。）の室内を表す。内気温取得部１１ｂ−２は、室内に設置された温度センサーであっても良い。内気温取得部１１ｂ−２は、室内に設置された温度センサーから通信によって室内気温を取得する装置であっても良い。
室温調整システム２０ｂ−１は、制御部１３ｂによる制御にしたがって、換気システム、窓開閉装置、空調機、オイルヒーター、床暖房等の運転をそれぞれ制御する。
【００４７】
図６は、第二実施形態における制御情報テーブルの具体例を示す図である。制御情報記憶部１２ｂによって記憶される制御情報テーブルには、複数のレコード９０ｂが登録されている。レコード９０ｂは、温度条件、時刻条件及び制御情報の値を有する。温度条件は、室内気温の条件である。時刻条件は、情報が取得された時刻の条件である。制御情報は、室温調整システム２０ｂ−１に対する制御内容を表す。図４に表される具体例では、制御情報の値として２つの値が示されている。これら２つの値は、左から順に床暖房、空調機に対する制御内容を表している。
【００４８】
床暖房に対する制御の内容は、床暖房の運転の強弱の程度を示す。例えば、室内気温が適温であれば、床暖房が運転しないように制御されても良い。室内気温が低い場合には、その低さに応じて床暖房が強く運転するように制御されても良い。
【００４９】
空調機に対する制御の内容は、空調機が暖房として運転する強弱の程度を表す。例えば、室内気温が適温である場合や、床暖房のみで適温への調整が可能な温度である場合は、空調機が暖房として運転しないように制御されても良い。床暖房の運転のみでは室内気温を十分に適温へ調整できない場合には、室内気温の低さに応じて空調機が暖房として強く運転するように制御されても良い。
【００５０】
また、床暖房及び空調機に対する共通の条件として、所定の時間帯のみ制御部１３ｂによる制御が行われる様に制御されても良い。図６に示される具体例では、午前５時〜７時の間のみ制御部１３ｂによる制御によって室温調整システム２０ｂ−１への制御が行われる。なお、時刻条件が満たされている時間帯において、ユーザによって室温調整システム２０ｂ−１の床暖房や空調機の設定が変更されたりオン・オフが変更された場合は、ユーザによる設定が優先される。そして、日付が変わって改めて時刻条件が満たされた場合には、制御部１３ｂによる制御が実行される。
【００５１】
このように構成された制御システム１００ｂでは、室内気温及び時刻に応じて、制御対象建物における室温調整システム２０ｂ−１が制御される。そのため、特に床暖房と空調機の暖房によって、所定の時刻における室温が自動的に適温に調整される。したがって、制御対象建物内にいる人や動植物にとって適切な環境（人が過ごしやすい環境、動植物が育ちやすい環境）を与えることが可能となる。
【００５２】
＜変形例＞
室内気温及び時刻に加えてさらに他の条件にも基づいて制御内容が決定されても良い。例えば、湿度や天候という条件がさらに与えられても良い。
制御情報の具体例として床暖房及び空調機（暖房）に対する制御内容を示したが、制御情報はこのような制御内容に限定されない。換気システム、窓開閉装置、オイルヒーターなど他の室温調整装置を制御することが制御情報として制御情報テーブルに設定されても良い。
【００５３】
［第三実施形態］
図７は、制御システム１００の第三実施形態（制御システム１００ｃ）の機能構成を表す概略ブロック図である。
制御システム１００ｃは、情報取得部１１の具体例として時刻取得部１１ｃ−１及び脳波取得部１１ｃ−２を備え、制御対象２０の具体例としてベッド制御システム２０ｃ−１、室内照明制御システム２０ｃ−２、遮光制御システム２０ｃ−３及び音声出力システム２０ｃ−４を備える。本実施形態において、ベッド制御システム２０ｃ−１、室内照明制御システム２０ｃ−２、遮光制御システム２０ｃ−３及び音声出力システム２０ｃ−４が設置された建物を制御対象建物という。
【００５４】
時刻取得部１１ｃ−１は、現在時刻を取得する。時刻取得部１１ｃ−１は、クロックを備え、クロックから出力される信号に基づいて現在時刻を取得しても良い。時刻取得部１１ｃ−１は、外部装置から時刻を表す信号を受信することによって現在時刻を取得しても良い。
【００５５】
脳波取得部１１ｃ−２は、ベッド制御システム２０ｃ−１によって制御されるベッド（以下、「制御対象ベッド」という。）上で睡眠しているユーザ（以下、「睡眠ユーザ」という。）の脳波を取得する。脳波取得部１１ｃ−２は、睡眠ユーザの脳波を取得可能であればどのように構成されても良い。例えば、ポータブルの脳波取得装置を用いて構成されても良いし、制御対象ベッドやその周辺に設置された脳波取得装置であっても良い。
【００５６】
ベッド制御システム２０ｃ−１は、制御対象ベッドを制御するシステムである。制御対象ベッドは、睡眠ユーザの上半身が位置する部分のマットレスを起き上がらせるように角度を変更可能に構成されている。ベッド制御システム２０ｃ−１は、制御部１３ｃによる制御にしたがって、睡眠ユーザの上半身が位置する部分のマットレスの角度を制御する。
【００５７】
室内照明制御システム２０ｃ−２は、制御対象建物に設けられた照明を制御するシステムである。室内照明制御システム２０ｃ−２は、制御部１３ｃによる制御にしたがって、制御対象建物に設けられた一つ一つの照明の照度を複数の段階で調整する。
【００５８】
遮光制御システム２０ｃ−３は、制御対象建物に設けられた遮光具（ブラインド、カーテン、ルーバーなど）の開閉動作を制御するシステムである。遮光制御システム２０ｃ−３は、制御部１３ｃによる制御にしたがって、制御対象建物に設けられた各遮光具を制御し、室内に入る外光の量を調整する。
【００５９】
音声出力システム２０ｃ−４は、スピーカー等の音声出力装置の動作を制御する。音声出力システム２０ｃ−４は、制御部１３ｃによる制御にしたがって、制御対象建物内に位置する音声出力装置から音声を出力させる。
【００６０】
制御部１３ｃは、時刻取得部１１ｃ−１によって取得された時刻と、脳波取得部１１ｃ−２によって取得された脳波と、に応じた制御情報を制御情報テーブルから取得する。制御部１３ｃは、取得された制御情報に応じた制御を、ベッド制御システム２０ｃ−１、室内照明制御システム２０ｃ−２、遮光制御システム２０ｃ−３及び音声出力システム２０ｃ−４に対して実行する。
【００６１】
図８は、第三実施形態における制御情報テーブルの具体例を示す図である。制御情報記憶部１２ｃによって記憶される制御情報テーブルには、複数のレコード９０ｃが登録されている。レコード９０ｃは、時刻条件、脳波条件及び制御情報の値を有する。時刻条件は、情報が取得された時刻の条件である。脳波条件は、取得された脳波の特徴に関する条件である。制御情報は、ベッド制御システム２０ｃ−１、室内照明制御システム２０ｃ−２、遮光制御システム２０ｃ−３及び音声出力システム２０ｃ−４に対する制御内容を表す。図８に表される具体例では、制御情報の値として４つの値が示されている。これら４つの値は、左から順にベッド制御システム２０ｃ−１、室内照明制御システム２０ｃ−２、遮光制御システム２０ｃ−３、音声出力システム２０ｃ−４に対する制御内容を表している。
【００６２】
ベッド制御システム２０ｃ−１に対する制御の内容は、ベッドのマットレスが起き上がる角度を示す。
室内照明制御システム２０ｃ−２に対する制御の内容は、照明の色や照明の照度に関する状態を示す。
遮光制御システム２０ｃ−３に対する制御の内容は、遮光具を開けて外光を室内に取り入れるか否かを示す。
音声出力システム２０ｃ−４に対する制御の内容は、アラーム音を出力するか否かを表す。
【００６３】
例えば、時刻条件が起きる予定時間帯であるものの起きなければ問題の生じる時刻ではない場合、脳波条件が起床に適しているか否かによって制御情報が決まる。すなわち、脳波状態が起床に適している場合には、睡眠ユーザの目を覚ますような制御が行われるのに対し、脳波状態が起床に適していない場合には特に状態の変更を行わずに睡眠を妨げないように制御される。
【００６４】
一方、時刻条件が起きなければ問題の生じる時刻である場合には、脳波条件が起床に適しているか否かにかかわらず、睡眠ユーザの目をより確実に覚ますように制御される。
このように構成された制御システム１００ｃでは、時刻条件及び脳波条件に応じて、睡眠ユーザの目を覚まさせるような制御がなされる。すなわち、時刻条件が起きる予定時間帯であるものの起きなければ問題の生じる時刻ではない場合には、脳波状態が起床に適している場合にのみ目を覚ますような制御が行われることによって、睡眠ユーザがより心地よい起床をすることが可能となる。一方、起きなければ問題の生じる時刻になった場合には、脳波の状態にかかわらずに目を覚ますような制御が行われることによって、睡眠ユーザが遅刻してしまうことを防止できる。
【００６５】
＜変形例＞
時刻条件及び脳波条件に加えてさらに他の条件にも基づいて制御内容が決定されても良い。例えば、交通機関情報を示す条件がさらに与えられても良い。すなわち、交通機関に遅延が生じている場合には、制御部１３ｃは、脳波の状態にかかわらずに目を覚ますような制御が行われる時刻を、遅延分の時間に基づいて繰り上げても良い。
制御対象２０は、ベッド制御システム２０ｃ−１、室内照明制御システム２０ｃ−２、遮光制御システム２０ｃ−３及び音声出力システム２０ｃ−４の全てである必要は無く、これらの一部のみが制御対象２０であっても良い。
【００６６】
［第四実施形態］
図９は、制御システム１００の第四実施形態（制御システム１００ｄ）の機能構成を表す概略ブロック図である。
制御システム１００ｄは、情報取得部１１の具体例として地震情報取得部１１ｄ−１、人検出部１１ｄ−２及び時刻取得部１１ｄ−３を備え、制御対象２０の具体例として発電機２０ｄ−１、テレビ受像機２０ｄ−２、調理器具２０ｄ−３及び室内照明制御システム２０ｄ−４を備える。本実施形態において、発電機２０ｄ−１、テレビ受像機２０ｄ−２、調理器具２０ｄ−３及び室内照明制御システム２０ｄ−４が設置された建物を制御対象建物という。
【００６７】
地震情報取得部１１ｄ−１は、振動感知センサを用いて構成され、発生した振動の大きさを震度の単位で取得しても良い。地震情報取得部１１ｄ−１は、地震情報提供サーバーと通信することによって、発生した地震の震度を取得しても良い。
【００６８】
人検出部１１ｄ−２は、人体感知センサを用いて構成され、所定の領域に人が存在するか否かを検出する。人体感知センサは、例えばサーモグラフィーと画像解析装置を用いて構成されても良いし、カメラと画像解析装置を用いて構成されても良い、重量感知センサを用いて構成されても良いし、他の態様で構成されても良い。
時刻取得部１１ｄ−３は、現在時刻を取得する。時刻取得部１１ｄ−３は、クロックを備え、クロックから出力される信号に基づいて現在時刻を取得しても良い。時刻取得部１１ｄ−３は、外部装置から時刻を表す信号を受信することによって現在時刻を取得しても良い。
【００６９】
発電機２０ｄ−１は、地震によってライフラインが切断されたとしても電力を供給することが可能な装置である。発電機２０ｄ−１は、例えば石炭、石油、ガスなどの燃料を燃焼させることによって発電する。発電機２０ｄ−１によって発電された電気は、制御対象建物内の装置や、発電機２０ｄ−１に対して接続された電気製品に対して供給される。発電機２０ｄ−１は、制御部１３ｄによる制御にしたがって発電を行う。
【００７０】
テレビ受像機２０ｄ−２は、テレビ放送の電波を無線又は有線で受信し、映像を画面に出力する装置である。テレビ受像機２０ｄ−２は、制御部１３ｄによって電源と出力するチャンネルと音量とが制御される。
【００７１】
調理器具２０ｄ−３は、制御対象建物内にある調理用の器具である。調理器具２０ｄ−３の具体例として、電磁コンロ、ガスコンロ、電気ポット、電気オーブン、ガスオーブン、炊飯器、オーブントースター、グリル等がある。調理器具２０ｄ−３は、制御部１３ｄによって電源や温度などが制御される。
【００７２】
室内照明制御システム２０ｄ−４は、制御対象建物に設けられた照明を制御するシステムである。室内照明制御システム２０ｄ−４は、制御部１３ｄによる制御にしたがって、制御対象建物に設けられた一つ一つの照明の照度を複数の段階で調整する。
【００７３】
制御部１３ｄは、地震情報取得部１１ｄ−１によって取得された地震情報（震度を表す値）と、人検出部１１ｄ−２による人の検出結果と、時刻取得部１１ｄ−３によって取得される時刻と、に応じた制御情報を制御情報テーブルから取得する。制御部１３ｄは、取得された制御情報に応じた制御を、発電機２０ｄ−１、テレビ受像機２０ｄ−２、調理器具２０ｄ−３及び室内照明制御システム２０ｄ−４に対して実行する。
【００７４】
図１０〜１３は、第四実施形態における制御情報テーブルの具体例を示す図である。制御情報記憶部１２ｄには、複数の制御情報テーブルが記憶されている。
図１０に示される制御情報テーブルは、地震条件及び制御情報の値を有する。地震条件は、検知された地震の震度の大きさを表す条件である。制御情報は、発電機２０ｄ−１に対する制御内容を表す。図１０に示される制御情報テーブルには、震度の大きさに応じて、発電機２０ｄ−１をどのように制御するのかを示す情報が定義されている。図１０に表される具体例では、震度１〜４の場合には発電機２０ｄ−１に対する制御は行われない。一方、震度が５以上である場合には、発電機２０ｄ−１を稼働させる制御が行われる。
【００７５】
図１１に示される制御情報テーブルは、地震条件、人検知条件及び制御情報の値を有する。人検知条件は、人検出部１１ｄ−２によって人が検知されたか否かを表す条件である。制御情報は、テレビ受像機２０ｄ−２に対する制御内容を表す。図１１に示される制御情報テーブルには、震度の大きさ及び人が検知されたか否かに応じて、テレビ受像機２０ｄ−２をどのように制御するのかを示す情報が定義されている。図１１に表される具体例では、震度１〜３の場合には、人検出部１１ｄ−２によって人が検知された場合にのみテレビ受像機の電源がオンとなるように制御される。一方、震度が４以上である場合には、人検出部１１ｄ−２によって人が検知されたか否かにかかわらず、テレビ受像機の電源がオンとなるように制御される。
【００７６】
図１２に示される制御情報テーブルは、地震条件及び制御情報の値を有する。制御情報は、調理器具２０ｄ−３に対する制御内容を表す。図１２に示される制御情報テーブルには、震度の大きさに応じて、調理器具２０ｄ−３をどのように制御するのかを示す情報が定義されている。図１２に表される具体例では、震度１〜３の場合には調理器具２０ｄ−３に対する制御は行われない。一方、震度が４である場合には、ガス調理器具がオフとなるように制御される。さらに、震度が５である場合には、全ての調理器具（例えば、電気調理器具及びガス調理器具）がオフとなるように制御される。
【００７７】
図１３に示される制御情報テーブルは、地震条件、時刻条件及び制御情報の値を有する。時刻条件は、地震情報取得部１１ｄ−１によって震度の値が取得された時刻の条件である。制御情報は、室内照明制御システム２０ｄ−４に対する制御内容を表す。図１３に示される制御情報テーブルには、震度の大きさ及び時刻に応じて、室内照明制御システム２０ｄ−４をどのように制御するのかを示す情報が定義されている。図１３に表される具体例では、震度１の場合には、時刻にかかわらず室内照明制御システム２０ｄ−４に対する制御は行われない。震度２又は３の場合には、時刻が１９時〜２２時である場合に限って、照明がオンとなるように制御される。震度が４以上である場合には、時刻が何時であるかにかかわらず、照明がオンとなるように制御される。
【００７８】
このように構成された制御システム１００ｄでは、発生した地震の程度に応じて、防災に必要となる制御がなされる。具体的には以下のとおりである。地震の程度が所定以上である場合には、発電機２０ｄ−１を稼働する制御が行われるため、地震によって電力会社からの電力供給が途絶えてしまった場合にも、制御対象建物の設備などに電力を供給することが可能となる。したがって、テレビやラジオなどを通じて情報を取得することが可能となると共に、医療装置の動作を維持させることが可能となる。また、地震の程度が所定以上である場合には、テレビ受像機２０ｄ−２の電源をオンとする制御が行われるため、制御対象建物内のユーザは地震に関する情報を即座に取得することが可能となる。また、地震の程度に応じて、調理器具２０ｄ−３がオフとなるように制御されるため、調理器具２０ｄ−３を火元とした火災や火傷などを防止することが可能となる。また、所定の震度以上の地震が発生した場合には、室内照明制御システム２０ｄ−４に対し照明が点灯するように制御がなされる。そのため、地震に対する対応を即座に行う事が可能となる。また、震度がさほど大きくない場合（図１３の例では震度２又は３）には、深夜の時間帯には照明がオンとならないように制御される。そのため、不必要にユーザの睡眠を妨げてしまうことを防止できる。
【００７９】
＜変形例＞
制御部１３ｄは、テレビ受像機２０ｄ−２に表示される番組のチャンネルを、予め設定されたチャンネルとなるように制御しても良い。
地震条件、人検知条件及び時刻条件に加えてさらに他の条件にも基づいて制御内容が決定されても良い。例えば、天候情報を示す条件、津波に関する情報を示す条件がさらに与えられても良い。すなわち、所定以上の大きさの津波が発生することを示す情報が取得された場合には、制御部１３ｄは、時間帯や震度にかかわらずにテレビ受像機２０ｄ−２の電源をオンに制御し、室内照明制御システム２０ｄ−４の照明をオンに制御しても良い。  制御対象２０は、発電機２０ｄ−１、テレビ受像機２０ｄ−２、調理器具２０ｄ−３及び室内照明制御システム２０ｄ−４の全てである必要は無く、これらの一部のみが制御対象２０であっても良い。
【００８０】
［第五実施形態］
図１４は、制御システム１００の第五実施形態（制御システム１００ｅ）の機能構成を表す概略ブロック図である。
制御システム１００ｅは、情報取得部１１の具体例として電力需要情報取得部１１ｅ−１を備え、制御対象２０の具体例として室温調整システム２０ｅ−１、報知部２０ｅ−２、室内照明制御システム２０ｅ−３及び電力供給管理装置２０ｅ−４を備える。本実施形態において、室温調整システム２０ｅ−１、報知部２０ｅ−２、室内照明制御システム２０ｅ−３及び電力供給管理装置２０ｅ−４が設置された建物を制御対象建物という。
【００８１】
電力需要情報取得部１１ｅ−１は、電力需要に関する情報を取得する。電力需要に関する情報とは、所定の領域における電力需要量を表す値や、電力供給量に対する電力需要量の割合を表す値である。所定の領域とは、電力会社の管轄を表す領域、制御対象建物が位置する行政区分の地域、制御対象建物が位置する集合住宅、制御対象建物そのもの等である。電力需要情報取得部１１ｅ−１は、所定の領域における電力需要量に関する情報を提供するサーバーと通信することによって、電力需要量情報を取得する。また、電力需要情報取得部１１ｅ−１は、制御対象建物における電力需要量（例えば、部屋毎の電力需要量、電気機器毎の電力需要量）に関する情報を取得する。
【００８２】
室温調整システム２０ｅ−１は、制御部１３ｅによる制御にしたがって、換気システム、窓開閉装置、空調機、オイルヒーター、床暖房等の運転をそれぞれ制御する。
報知部２０ｅ−２は、スピーカーや照明やディスプレイ等の出力装置である。報知部２０ｅ−２は、制御部１３ｅによる制御にしたがって、制御対象建物内のユーザに対し電力需要に関する情報や警報を報知する。
【００８３】
室内照明制御システム２０ｅ−３は、制御対象建物に設けられた照明を制御するシステムである。室内照明制御システム２０ｅ−３は、制御部１３ｅによる制御にしたがって、制御対象建物に設けられた一つ一つの照明の照度を複数の段階で調整する。
電力供給管理装置２０ｅ−４は、制御対象建物に設けられた電源から各電気機器への電力供給を管理する装置である。電力供給管理装置２０ｅ−４は、例えばブレーカーや電源タップ等の装置である。
【００８４】
図１５は、第五実施形態における制御情報テーブルの具体例を示す図である。制御情報記憶部１２ｅによって記憶される制御情報テーブルには、複数のレコード９０ｅが登録されている。レコード９０ｅは、電力需要条件及び制御情報の値を有する。電力需要条件は、電力需要に関する条件である。制御情報は、室温調整システム２０ｅ−１、報知部２０ｅ−２、室内照明制御システム２０ｅ−３及び電力供給管理装置２０ｅ−４に対する制御内容を表す。図１５に表される具体例では、制御情報の値として４つの値が示されている。これら４つの値は、左から順に室温調整システム２０ｅ−１、報知部２０ｅ−２、室内照明制御システム２０ｅ−３、電力供給管理装置２０ｅ−４に対する制御内容を表している。
【００８５】
電力需要条件が電力需要量の値である場合、電力需要量が大きくなるほど消費電力が小さくなるように制御情報が設定される。また、予め設定されている閾値を電力需要量が越えた場合には、報知部２０ｅ−２によって報知がなされるように制御情報が設定される。
電力需要条件が電力供給量に対する電力需要量の割合を表す値である場合、割合が高くなるほど消費電力が小さくなるように制御情報が設定される。また、予め設定されている閾値を割合が越えた場合には、報知部２０ｅ−２によって報知がなされるように制御情報が設定される。消費電力が小さくなるように設定される制御情報の具体例としては、電力を消費する電気機器の運転モードを、通常モードからエコモード（消費電力が少ないモード）に変更する制御、照明の明るさを暗くする制御、電源が落ちても問題の生じにくい電気機器が接続された電源タップやブレーカーをオフにする制御、などがある。
【００８６】
このように構成された制御システム１００ｅでは、電力需要に応じて、制御対象建物における消費電力が制御される。すなわち、制御部１３ｅが室温調整システム２０ｅ−１及び室内照明制御システム２０ｅ−３の動作を制御することによって、電力需要が過多となっている場合に、電力需要（消費電力）を抑えることが可能となる。また、電力需要の程度に応じて、段階的な制御が行われる。そのため、過剰に電力需要を抑えてユーザの生活に支障が生じてしまうことを抑制することが可能となる。
【００８７】
制御部１３ｅが、電力需要が過多となっている場合に報知部２０ｅ−２を制御することによってユーザに対して電力需要が過多となっていることを報知する。そのため、ユーザに対して電力需要が過多となっていることを通知し、ユーザによる制御によって電力需要を抑えることを抑えることが可能となる。
【００８８】
＜変形例＞
電力需要に加えてさらに他の条件にも基づいて制御内容が決定されても良い。例えば、室内気温という条件がさらに与えられても良い。例えば、室内気温と予め設定されている適温との差が大きい場合には、制御部１３ｅは、室温調整システム２０ｅ−１を制御することによる消費電力の低下幅を小さくし、室内照明制御システム２０ｅ−３を制御することによる消費電力の低下幅を大きくしても良い。
【００８９】
制御部１３ｅは、部屋毎の電力需要量について予め設定された閾値を超えたか否か判定し、電力需要が過多となっている部屋に設置された報知部２０ｅ−２に対してのみ警報の出力を実行させても良い。この場合、部屋毎に異なる閾値が設定されても良い。
制御対象２０は、室温調整システム２０ｅ−１、報知部２０ｅ−２及び室内照明制御システム２０ｅ−３の全てである必要は無く、これらの一部のみが制御対象２０であっても良い。また、電力を消費する機器であればどのような電気機器が制御対象２０となっても良い。例えば、テレビ受像機、冷蔵庫、給湯器、電気調理器具（例えばＩＨ（Induction Heating）調理器具）等の電気機器が制御対象２０となっても良い。
【００９０】
［第六実施形態］
図１６は、制御システム１００の第六実施形態（制御システム１００ｆ）の機能構成を表す概略ブロック図である。
制御システム１００ｆは、情報取得部１１の具体例として天候情報取得部１１ｆ−１を備え、制御対象２０の具体例として窓開閉装置２０ｆ−１及び室内照明制御システム２０ｆ−２を備える。本実施形態において、窓開閉装置２０ｆ−１及び室内照明制御システム２０ｆ−２が設置された建物を制御対象建物という。
【００９１】
天候情報取得部１１ｆ−１は、天候に関する情報を取得する。天候に関する情報とは、例えば現在及び将来の天候の種別、気温、湿度、降雨量、風向きを表す情報である。天候情報取得部１１ｆ−１は、天候に関する情報を提供するサーバーと通信することによって、天候情報を取得する。天候情報取得部１１ｆ−１は、室外に設置された温度センサーや雨量センサーから通信によって室外気温や雨量を取得する装置であっても良い。
【００９２】
窓開閉装置２０ｆ−１は、制御対象建物に設けられた窓の開閉動作を制御する装置である。窓開閉装置２０ｆ−１は、例えばアクチュエーターと、各窓に設けられた動力伝達部材と、を備える。窓開閉装置２０ｆ−１は、制御部１３ｆによる制御にしたがってアクチュエーターを動作させ、制御対象建物に設けられた窓の開閉動作を制御する。
【００９３】
室内照明制御システム２０ｆ−２は、制御対象建物に設けられた照明を制御するシステムである。室内照明制御システム２０ｆ−２は、制御部１３ｆによる制御にしたがって、制御対象建物に設けられた一つ一つの照明の照度を複数の段階で調整する。
【００９４】
図１７は、第六実施形態における制御情報テーブルの具体例を示す図である。制御情報記憶部１２ｆによって記憶される制御情報テーブルは、天候条件及び制御情報の値を有する。天候条件は、天候に関する条件である。制御情報は、窓開閉装置２０ｆ−１及び室内照明制御システム２０ｆ−２に対する制御内容を表す。図１７に表される具体例では、制御情報の値として２つの値が示されている。これら２つの値は、左から順に窓開閉装置２０ｆ−１、室内照明制御システム２０ｆ−２に対する制御内容を表している。
【００９５】
天候が雨である場合、すなわち検出された雨量が所定の閾値以上である場合、窓開閉装置２０ｆ−１に対する制御情報は、外気に接する全ての窓を閉じるように設定される。また、天候が雨である場合、室内照明制御システム２０ｆ−２に対する制御情報は、所定の照明（例えばトップライト）を点灯させるように設定される。
【００９６】
このように構成された制御システム１００ｆでは、天候に応じて、制御対象建物に設置された窓が自動的に閉じられ、所定の照明が点灯される。すなわち、制御部１３ｆが窓開閉装置２０ｆ−１及び室内照明制御システム２０ｆ−２の動作を制御することによって、雨が降っている場合に、窓から雨が室内に侵入することを抑止し、室内の明るさを維持することが可能となる。
【００９７】
＜変形例＞
図１７の具体例では、天候が雨である場合の制御情報を示したが、他の天候についても制御情報が設定されても良い。例えば、天候条件が雪やみぞれである場合にも、天候条件が雨である場合と同様に制御情報が設定されても良い。また、天候条件が強風（風速が所定の閾値を超えた状態）である場合には、窓開閉装置２０ｆ−１については窓を閉じる制御が設定され、室内照明制御システム２０ｆ−２については制御を行わないように設定されても良い。また、天候情報として花粉量が所定の閾値を超えた場合や、公害物質（例えばＰＭ２．５）の濃度が所定値を超えた場合にも、窓開閉装置２０ｆ−１については窓を閉じる制御が設定され、室内照明制御システム２０ｆ−２については制御を行わないように設定されても良い。
制御対象２０は、窓開閉装置２０ｆ−１及び室内照明制御システム２０ｆ−２の全てである必要は無く、これらの一部のみが制御対象２０であっても良い。
【００９８】
［第七実施形態］
図１８は、制御システム１００の第七実施形態（制御システム１００ｇ）の機能構成を表す概略ブロック図である。
制御システム１００ｇは、情報取得部１１の具体例として日射量取得部１１ｇ−１及び内気温取得部１１ｇ−２を備え、制御対象２０の具体例として窓開閉装置２０ｇ−１及び遮光制御システム２０ｇ−２を備える。本実施形態において、窓開閉装置２０ｇ−１及び遮光制御システム２０ｇ−２が設置された建物を制御対象建物という。
【００９９】
日射量取得部１１ｇ−１は、日射量を取得する。日射量取得部１１ｇ−１は、日射量を提供するサーバーと通信することによって日射量を取得しても良い。日射量取得部１１ｇ−１は、室外に設置された日射量センサーから通信によって日射量を取得する装置であっても良い。
内気温取得部１１ｇ−２は、室内の気温（以下、「室内気温」という。）を取得する。室内とは、制御対象建物の室内を表す。内気温取得部１１ｇ−２は、室内に設置された温度センサーであっても良い。内気温取得部１１ｇ−２は、室内に設置された温度センサーから通信によって室内気温を取得する装置であっても良い。
【０１００】
窓開閉装置２０ｇ−１は、制御対象建物に設けられた窓の開閉動作を制御する装置である。窓開閉装置２０ｇ−１は、例えばアクチュエーターと、各窓に設けられた動力伝達部材と、を備える。窓開閉装置２０ｇ−１は、制御部１３ｇによる制御にしたがってアクチュエーターを動作させ、制御対象建物に設けられた窓の開閉動作を制御する。
【０１０１】
遮光制御システム２０ｇ−２は、制御対象建物に設けられた遮光具（ブラインド、カーテン、ルーバーなど）の開閉動作を制御するシステムである。遮光制御システム２０ｇ−２は、制御部１３ｇによる制御にしたがって、制御対象建物に設けられた各遮光具を制御し、室内に入る外光の量を調整する。
【０１０２】
図１９は、第七実施形態における制御情報テーブルの具体例を示す図である。制御情報記憶部１２ｇによって記憶される制御情報テーブルには、複数のレコード９０ｇが登録されている。レコード９０ｇは、温度条件、日射量条件及び制御情報の値を有する。温度条件は、室内気温に関する条件である。日射量条件は、日射量に関する条件である。制御情報は、窓開閉装置２０ｇ−１及び遮光制御システム２０ｇ−２それぞれに対する制御内容を表す。図１９に表される具体例では、制御情報の値として２つの値が示されている。これら２つの値は、左から順に窓開閉装置２０ｇ−１、遮光制御システム２０ｇ−２に対する制御内容を表している。
室内気温が高く日射量が多いほど、窓開閉装置２０ｇ−１は窓を大きく開けるように制御され、遮光制御システム２０ｇ−２は室内に入る外光の量が少なくなるように制御される。
【０１０３】
このように構成された制御システム１００ｇでは、日射量や室内気温に応じて、制御対象建物に設置された窓が自動的に開閉され、遮光具による遮光の程度が変更される。すなわち、制御部１３ｇが窓開閉装置２０ｇ−１及び遮光制御システム２０ｇ−２の動作を制御することによって、室内気温が高い場合には、窓が開放されることにより窓から外気が取り入れられ、遮光具が閉じられることにより室内に侵入する日射量が減少する。また、室内気温が低い場合には、窓が閉じられることにより室内の空気が外に逃げることが防止され、遮光具が開かれることにより室内に侵入する日射量が増大する。そのため、エアコン等の空調装置を用いることなく、室内気温を適温に近づけることが可能となる。
【０１０４】
＜変形例＞
日射量及び室内気温に加えてさらに他の条件にも基づいて制御内容が決定されても良い。例えば、湿度や天候という条件がさらに与えられても良い。
日射量又は室内気温のいずれか一方の条件に基づいて制御内容が決定されても良い。
日射量取得部１１ｇ−１は、西日が当たる場所に設置されても良い。このように構成された場合、制御部１３ｇは、遮光制御システム２０ｇ−２に備えられる遮光具のうち、西日が差す位置に設置された遮光具のみを制御対象としても良い。
制御対象２０は、窓開閉装置２０ｇ−１及び遮光制御システム２０ｇ−２の全てである必要は無く、これらの一部のみが制御対象２０であっても良い。
【０１０５】
［第八実施形態］
図２０は、制御システム１００の第八実施形態（制御システム１００ｈ）の機能構成を表す概略ブロック図である。
制御システム１００ｈは、情報取得部１１の具体例として発電量取得部１１ｈを備え、制御対象２０の具体例として発電機２０ｈを備える。本実施形態において、発電機２０ｈが設置された建物を制御対象建物という。
【０１０６】
制御対象建物には、自然エネルギー発電機１５が設置されている。自然エネルギー発電機１５は、太陽光、風力、地熱、水流などの自然エネルギーを用いて発電する。自然エネルギー発電機１５によって発電された電気は、制御対象建物内の装置や、自然エネルギー発電機１５に対して接続された電気製品に対して供給される。
発電量取得部１１ｈは、自然エネルギー発電機１５による発電量を取得する。
【０１０７】
発電機２０ｈは、例えば石炭、石油、ガスなどの燃料を燃焼させることによって発電する。発電機２０ｈによって発電された電気は、制御対象建物内の装置や、発電機２０ｈに対して接続された電気製品に対して供給される。発電機２０ｈは、制御部１３ｈによる制御にしたがって発電を行う。
【０１０８】
図２１は、第八実施形態における制御情報テーブルの具体例を示す図である。制御情報記憶部１２ｈによって記憶される制御情報テーブルには、複数のレコード９０ｈが登録されている。レコード９０ｈは、発電量条件及び制御情報の値を有する。発電量条件は、自然エネルギー発電機１５による発電量に関する条件である。制御情報は、発電機２０ｈに対する制御内容を表す。図２１に表される具体例では、自然エネルギー発電機１５による発電量が少ないほど、発電機２０ｈによる発電量が多くなるように制御される。
【０１０９】
このように構成された制御システム１００ｈでは、自然エネルギー発電機１５による発電量に応じて、制御対象建物に設置された発電機２０ｈによる発電量が制御される。すなわち、制御部１３ｈが発電機２０ｈの運転を制御することによって、自然エネルギー発電機１５が十分な電力量を発電している場合には、発電機２０ｈが発電を行わず、自然エネルギー発電機１５による電力量が不足している場合には、不足分を補うことができるように発電機２０ｈが発電を行う。そのため、電力が不足することを抑止すると共に、発電機２０ｈの運転によって消費される燃料を少なくすることが可能となる。
【０１１０】
＜変形例＞
自然エネルギー発電機１５による発電量に加えてさらに他の条件にも基づいて制御内容が決定されても良い。例えば、制御対象建物に備えられた蓄電池の蓄電量に関する条件がさらに与えられても良い。例えば、蓄電量が所定の閾値よりも少ない場合には、制御部１３ｈは、発電機２０ｈによる発電量を増加させることによって、蓄電量を閾値以上に保つように制御を行っても良い。
【０１１１】
さらに、天気予報に基づく電力需要予測に関する条件がさらに与えられても良い。すなわち、翌日の天気予報が雨である場合、太陽電池による発電量が少なくなると予測されるため、制御部１３ｈは安い深夜料金の時間帯において蓄電池に電力を蓄積するように構成されても良い。
以上、この発明の実施形態について図面を参照して詳述してきたが、具体的な構成はこの実施形態に限られるものではなく、この発明の要旨を逸脱しない範囲の設計等も含まれる。
【符号の説明】
【０１１２】
１００…制御システム，  １１…情報取得部，  １２…制御情報記憶部，  １３…制御部，  ２０…制御対象，  １１ａ−１…外気温取得部，  １１ａ−２，１１ｂ−２，１１ｇ−２…内気温取得部，  １１ｂ−１，１１ｃ−１，１１ｄ−３…時刻取得部，  １１ｃ−２…脳波取得部，  １１ｄ−１…地震情報取得部，  １１ｄ−２…人検出部，  １１ｅ−１…電力需要情報取得部，  １１ｆ−１…天候情報取得部，  １１ｇ−１…日射量取得部，  １１ｈ…発電量取得部，  ２０ａ−１…換気システム，  ２０ａ−２，２０ｆ−１，２０ｇ−１…窓開閉装置，  ２０ａ−３，２０ｃ−２，２０ｄ−４，２０ｅ−３，２０ｆ−２…室内照明制御システム，  ２０ｂ−１，２０ｅ−１…室温調整システム，  ２０ｃ−１…ベッド制御システム，  ２０ｃ−３…遮光制御システム，  ２０ｃ−４…音声出力システム，  ２０ｄ−１，２０ｈ…発電機，  ２０ｄ−２…テレビ受像機，  ２０ｄ−３…調理器具，  ２０ｅ−２…報知部，  ２０ｅ−４…電力供給管理装置
【図１】
2014174762.tif 000003
【図２】
2014174762.tif 000004
【図３】
2014174762.tif 000005
【図４】
2014174762.tif 000006
【図５】
2014174762.tif 000007
【図６】
2014174762.tif 000008
【図７】
2014174762.tif 000009
【図８】
2014174762.tif 000010
【図９】
2014174762.tif 000011
【図１０】
2014174762.tif 000012
【図１１】
2014174762.tif 000013
【図１２】
2014174762.tif 000014
【図１３】
2014174762.tif 000015
【図１４】
2014174762.tif 000016
【図１５】
2014174762.tif 000017
【図１６】
2014174762.tif 000018
【図１７】
2014174762.tif 000019
【図１８】
2014174762.tif 000020
【図１９】
2014174762.tif 000021
【図２０】
2014174762.tif 000022
【図２１】
2014174762.tif 000023